(57)【要約】    【課題】  ヒンジ形状部材の小型化を図ることができると共に、単純な構成で電池の逆接続防止形状部を形成することができ、且つリフレッシュ効果により電池の持つポテンシャルを充分に引き出すことができる電子機器を提供する。    【解決手段】  デジタルカメラ１００は、本体１１０と、電池蓋１２０とから成り、電池蓋１２０は、金属製のヒンジ形状部材１２１及びシャフト１２２を介して本体１１０に連結され、金属製の電池接片１２５は、電池蓋１２０に固定され、ヒンジ形状部材１２１は、電池蓋１２０と電池接片１２５の間に挟み込まれるように配され、樹脂製の板状部材１２７は、ヒンジ形状部材１２１と電池接片１２５の間に配されて電池蓋１２０に固定されており、板状部材１２７は、電池接片１２５に設けられた孔から突出した樹脂製の逆接続防止形状部１２８を備える。【選択図】      図３
2006049131.tif 000002
【特許請求の範囲】
【請求項１】
所定の向きに収納物を収納する収納部を有する本体と、前記収納部を閉鎖する蓋とを備える電子機器において、一端が前記本体に回動自在に連結されており、他端が前記蓋にスライド自在に連結された金属製のヒンジ形状部材と、前記蓋に固定され、前記蓋の閉鎖時に前記収納物の特定部分と接触する導電性の接触部材と、前記蓋に固定され、前記ヒンジ形状部材及び前記接触部材間に配された導電率の低い板状部材とを備え、前記板状部材は、前記収納物が前記所定の向きと反対に収納されたときは、前記蓋の閉鎖時に前記接触部材が前記特定部分に接触しないように前記接触部材より突出する逆接続防止形状部を備えることを特徴とする電子機器。
【請求項２】
前記収納物は電池であることを特徴とする請求項１記載の電子機器。
【請求項３】
前記特定部分はプラス電極であることを特徴とする請求項２記載の電子機器。
【請求項４】
前記接触部材は金属製であり、前記板状部材は樹脂製であることを特徴とする請求項１乃至３のいずれか１項に記載の電子機器。
【請求項５】
前記蓋は山形部を備え、前記ヒンジ形状部材は、前記蓋のスライド時に前記山形部に乗り上げる曲げ形状部を備えることを特徴とする請求項１乃至４のいずれか１項に記載の電子機器。
【発明の詳細な説明】
【技術分野】
【０００１】
本発明は、電子機器に関し、特に、電極が外部に露出した単三電池や単四電池等の電池を複数本収納する電池収納部と、該電池収納部を覆う開閉自在な電池蓋とを備える電子機器に関する。
【背景技術】
【０００２】
従来の電子機器は、電極が外部に露出した単三電池や単四電池等の電池を複数本収納する電池収納部と、該電池収納部を覆う開閉自在な電池蓋とを備える。この電池蓋は、図４のように構成される。
【０００３】
図４において、電子機器４００は、本体４１０と、電池蓋４２０とから成る。電池蓋４２０は、樹脂製のヒンジ形状部材４２１、及び電池蓋４２０の回転軸となるシャフト４２２を介して本体４１０に連結している。金属製の電池接片４２３は、電池蓋４２０に固定されており、ヒンジ形状部材４２１は、電池蓋４２０と電池接片４２３の間に挟み込まれるように配されている。本体４１０には、電池収納部４１１が設けられ、そこには、電池５００が収納されている。
【０００４】
また、本体４１０には係合部４１２が、電池蓋４２０には係合部４２４が夫々設けられており、係合部４２４を係合部４１２に係合させることにより電池蓋４２０を閉じる。
【０００５】
電池５００を電池収納部４１１に挿抜するときは、まず、電池蓋４２０をＡ方向へスライドさせることにより係合部４２４が係合部４１２から外れ、その後Ｂ方向へ回動することにより電池蓋４２０を開ける。電池接片４２３は電池蓋４２０に固定されているので、電池蓋４２０がＡ方向へスライドすると、電池接片４２３も同様にＡ方向へスライドする。この際、電池接片４２３は、電池５００の電極面と摺動し、電極面にできた酸化被膜を削り取ることにより接触抵抗を少なくするリフレッシュ効果をもたらす。このリフレッシュ効果は電池５００の持つポテンシャルを引き出す上で非常に重要である。
【０００６】
ヒンジ形状部材４２１は、電池蓋４２０が開いているときに更に開方向へ力が加わった場合等を想定して高い強度を必要とするが、樹脂製であるので強度を確保するには大きな形状が必要となる。ヒンジ形状部材４２１を小型化するために金属製にすると、ヒンジ形状部材４２１が電池接片４２３と接して電気的な抵抗が増大し、電池５００の寿命が短くなる上に、電池蓋４２０を開閉する際に金属製の電池接片４２３と擦り合って削られ、耐久性が低下する。そこで、小型化を図るために、ヒンジ形状部材と電池接片とを金属製の同一部材として構成した電子機器が開示されている（例えば、特許文献１参照）。  
【０００７】
一方、電子機器には、使用者が所定の向きと反対に電池を装填したときに電極と電池接片の接触を防止する逆接続防止形状部が設けられる。この逆接続防止形状部は、導電率の低い樹脂製であり、一般的に電池収納部の奥側に設けるよりも電池蓋側の電池接片部へ設けた方が形状がシンプルになり効率がよい。
【特許文献１】特開平１１−３３１６６６号公報
【発明の開示】
【発明が解決しようとする課題】
【０００８】
しかしながら、上記特許文献１の電子機器では、電池接片が電池蓋と連動してスライドしないので、電池蓋のスライド時に電池の電極面と電池接片との摺動を行うことができず、リフレッシュ効果により電池のポテンシャルを引き出すことができない。
【０００９】
また、図４のような構成をとった場合、ヒンジ形状部材４２１は、電池接片４２３に近く、樹脂製であり、逆接続防止形状部を設けるのに好都合であるが、ヒンジ形状部材４２１は、電池蓋４２０のスライド時に電池接片４２３に対して可動であるので、ヒンジ形状部材４２１に逆接続防止形状部を設けるのは困難である。そのため、ヒンジ形状部材は電池収納部の奥側に設けられる場合が多く、電池収納部の奥側の構成が複雑化する。
【００１０】
本発明の目的は、ヒンジ形状部材の小型化を図ることができると共に、単純な構成で電池の逆接続防止形状部を形成することができ、且つリフレッシュ効果により電池の持つポテンシャルを充分に引き出すことができる電子機器を提供することにある。
【課題を解決するための手段】
【００１１】
上述の目的を達成するために、請求項１記載の電子機器は、所定の向きに収納物を収納する収納部を有する本体と、前記収納部を閉鎖する蓋とを備える電子機器において、一端が前記本体に回動自在に連結されており、他端が前記蓋にスライド自在に連結された金属製のヒンジ形状部材と、前記蓋に固定され、前記蓋の閉鎖時に前記収納物の特定部分と接触する導電性の接触部材と、前記蓋に固定され、前記ヒンジ形状部材及び前記接触部材間に配された導電率の低い板状部材とを備え、前記板状部材は、前記収納物が前記所定の向きと反対に収納されたときは、前記蓋の閉鎖時に前記接触部材が前記特定部分に接触しないように前記接触部材より突出する逆接続防止形状部を備えることを特徴とする。
【００１２】
請求項２記載の電子機器は、請求項１記載の電子機器において、前記収納物は、電池であることを特徴とする。
【００１３】
請求項３記載の電子機器は、請求項２記載の電子機器において、前記特定部分は、電極であることを特徴とする。
【００１４】
請求項４記載の電子機器は、請求項１乃至３のいずれか１項に記載の電子機器において、前記接触部材は金属製であり、前記板状部材は樹脂製であることを特徴とする。
【００１５】
請求項５記載の電子機器は、請求項１乃至４のいずれか１項に記載の電子機器において、前記蓋は山形部を備え、前記ヒンジ形状部材は、前記蓋のスライド時に前記山形部に乗り上げる曲げ形状部を備えることを特徴とする。
【発明の効果】
【００１６】
請求項１記載の電子機器によれば、金属製のヒンジ形状部材は、一端が本体に回動自在に連結されており、他端が蓋にスライド自在に連結され、導電性の接触部材は、蓋に固定され、蓋の閉鎖時に収納物の特定部分と接触し、導電率の低い板状部材は、蓋に固定され、ヒンジ形状部材及び接触部材間に配されると共に接触部材より突出する逆接続防止形状部を備えるので、ヒンジ形状部材の小型化を図ることができると共に、単純な構成で電池の逆接続防止形状部を形成することができ、且つリフレッシュ効果により電池の持つポテンシャルを充分に引き出すことができる。
【００１７】
請求項５記載の電子機器によれば、蓋は山形部を備え、ヒンジ形状部材は、蓋のスライド時に山形部に乗り上げるので、蓋のスライド時にクリック感を発生させることができる。
【発明を実施するための最良の形態】
【００１８】
以下、本発明の実施の形態を図面を参照しながら詳述する。
【００１９】
図１は、本発明の実施の形態に係る電子機器の外観を示す斜視図である。
【００２０】
図１において、デジタルカメラ１００は、本体１１０と、電池蓋１２０とから成る。本体１１０は、液晶表示部１１１と、レリーズボタン１１２と、十字配列操作部材１１３とを備える。また、本体１１０は、本体１００の主要電源である電池２００、及び画像データ等を記憶するメモリーカード３００を収納する電池収納部（不図示）を備え、該電池収納部は電池蓋１２０に覆われている。
【００２１】
デジタルカメラ１００は、レンズ鏡筒（不図示）を通して撮像素子（不図示）により画像信号を取得し、取得した画像信号に基づいて画像を液晶表示部１１１に表示する。また、デジタルカメラ１００は、撮影者がレリーズボタン１１２を操作することにより、レンズ鏡筒を通して撮像素子により取得した画像信号をデジタル画像データに変換し、デジタル画像データをメモリーカード３００に保存する。十字配列操作部材１１３は、撮影時には撮影条件の設定、撮影後には液晶表示部１１１に表示された撮影画像の送りや拡大等を行うために用いられる。
【００２２】
メモリーカード３００や電池２００を本体１１０に挿抜するときは、まず、電池蓋１２０をＡ方向へスライドさせることにより、後述する図２の係合部１２４が本体１１０の不図示の係合部から外れ、その後Ｂ方向へ回動することにより電池蓋１２０を開ける。ここでは、電池２００は２本の単三型電池である。電池２００はプラス極とマイナス極を有しており、２本の電池２００は所定の向きに電池収納部に装填されることにより導通する。
【００２３】
図２は、図１における電池蓋１２０の構成の一部を示す斜視図である。
【００２４】
図２において、電池蓋１２０は、金属製のヒンジ形状部材１２１、及び電池蓋１２０の回転軸となるシャフト１２２を介して本体１１０に連結している。ヒンジ形状部材１２１は、一端が本体１１０に回動自在に連結されており、他端が電池蓋１２０にスライド自在に連結されている。また、ヒンジ形状部材１２１は、電池蓋１２０側に向かって曲げられた曲げ形状部１２３を有し、電池蓋１２０をＡ方向にスライドしたときに曲げ形状部１２３が電池蓋１２０に設けた不図示の山形部に乗り上げることによりクリック感を発生させる。また、電池蓋１２０は、本体１１０の係合部に係合される係合部１２４を備える。ヒンジ形状部材１２１は金属製であるので、樹脂製の場合に比べてヒンジ形状部材１２１の小型化を図ることができる。
【００２５】
図３は、図１における電池蓋１２０の構成の全部を示す斜視図である。
【００２６】
図３において、電池蓋１２０は、図２に示した構成に加え、電池接片１２５（接触部材）と、板状部材１２７とを備える。金属製の電池接片１２５は、電池蓋１２０に固定され、ヒンジ形状部材１２１は、電池蓋１２０と電池接片１２５の間に挟み込まれるように配されている。電池接片１２５は電池接触部１２６を有し、２本の電池２００が所定の向きに電池収納部に夫々装填され、電池蓋１２０が閉鎖されると、２本の電池２００の電極が電池接触部１２６に夫々接触することにより導通される。また、電池接片１２５は金属製であるので、電池蓋１２０を補強する役割も果たしている。
【００２７】
導電率の低い樹脂製の板状部材１２７は、電池蓋１２０に固定され、ヒンジ形状部材１２１と電池接片１２５の間に配されている。板状部材１２７は、電池接片１２５に設けられた穴形状から突出した樹脂製の逆接続防止形状部１２８を備える。この逆接続防止形状部１２８により、使用者が所定の向きと反対に電池２００を装填したときにプラス電極と電池接触部１２６の接触を防止することができる。このように構成することで、逆接続防止形状部１２８を本体１１０ではなく電池蓋１２０に設けることができるので、単純な構成で電池の逆接続防止形状部を形成することができる。
【００２８】
ここで、電池接片１２５及び板状部材１２７は電池蓋１２０に固定されているので、電池蓋１２０がＡ方向へスライドすると、電池接片１２５及び板状部材１２７も同様にＡ方向へスライドする。このとき、電池接触部１２６は、スライド時に電池２００の電極面に生じた酸化被膜を削り取るリフレッシュ効果をもたらす。一方、ヒンジ形状部材１２１は、電池蓋１２０と板状部材１２７の間に挟み込まれるように配されているので、電池蓋１２０がＡ方向へスライドしてもヒンジ形状部材１２１は不動である。
【００２９】
本実施の形態によれば、ヒンジ形状部材１２１は金属製であるので、樹脂製の場合に比べてヒンジ形状部材の小型化を図ることができる。また、逆接続防止形状部１２８を本体１１０ではなく電池蓋１２０に設けることができるので、単純な構成で電池の逆接続防止形状部を形成することができる。さらに、金属製の電池接片１２５及び金属製のヒンジ形状部材１２１の間に樹脂製の板状部材１２７を配することにより金属製の電池接片１２５及び金属製のヒンジ形状部材１２１が擦り合うのを防止して摺動性能が飛躍的に向上するので、リフレッシュ効果により電池の持つポテンシャルを充分に引き出すことができる。
【図面の簡単な説明】
【００３０】
【図１】本発明の実施の形態に係る電子機器の外観を示す斜視図である。
【図２】図１における電池蓋の構成の一部を示す斜視図である。
【図３】図１における電池蓋の構成の全部を示す斜視図である。
【図４】従来の電子機器の電池蓋の構成を説明するのに用いられる斜視図である。
【符号の説明】
【００３１】
１００  デジタルカメラ
１１０  本体
１２０  電池蓋
１２１  ヒンジ形状部材
１２４  係合部
１２６  電池接片
１２７  板状部材
１２８  逆接続防止形状部
【図１】
2006049131.tif 000003
【図２】
2006049131.tif 000004
【図３】
2006049131.tif 000005
【図４】
2006049131.tif 000006